(57)【要約】【課題】運転者の誤った操作に基づくエンジンの始動を抑制する。【解決手段】車両には、エンジンとモータジェネレータとが駆動源として搭載される。この車両は、エンジンを停止させた状態で走行可能である。運転者の操作に基づく始動条件が満たされると、所定の遅延時間が経過した後にエンジンが始動される。始動条件が満たされてから遅延時間が経過する前に始動条件が満たされなくなると、エンジンが停止したまま維持される。運転者の操作に基づく始動条件が満たされても、遅延時間が経過するまではエンジンが始動されないので、運転者の誤操作に基づくエンジンの始動を抑制することができる。【選択図】図４
2014184910.tif 000002
【特許請求の範囲】
【請求項１】
エンジンと電動モータとを駆動源として搭載し、前記エンジンを停止させた状態で走行可能な車両の制御装置であって、
運転者の操作に基づく始動条件が満たされると、所定の遅延時間が経過した後に前記エンジンを始動し、
前記始動条件が満たされてから前記遅延時間が経過する前に前記始動条件が満たされなくなると、前記エンジンを停止したまま維持する、車両の制御装置。
【請求項２】
車速が高いほど前記遅延時間を長くする、請求項１に記載の車両の制御装置。
【請求項３】
前記車両には、前記電動モータに電力を供給する蓄電装置が搭載され、
前記蓄電装置の出力が低下すると、前記始動条件が満たされてから前記遅延時間が経過する前に前記エンジンを始動する、請求項１に記載の車両の制御装置。
【請求項４】
前記車両に搭載された機器に基づく条件が満たされると、前記遅延時間が経過する前に前記エンジンを始動する、請求項１に記載の車両の制御装置。
【請求項５】
前記車両には、前記電動モータに電力を供給する蓄電装置が搭載され、
前記蓄電装置の残存容量がしきい値よりも小さいと、前記遅延時間が経過する前に前記エンジンを始動する、請求項２に記載の車両の制御装置。
【発明の詳細な説明】
【技術分野】
【０００１】
本発明は、車両の制御装置に関し、特に、駆動源としてエンジンと電動モータとを搭載した車両において、走行中にエンジンを始動させるための技術に関する。
【背景技術】
【０００２】
エンジンに加えて、走行用の電動モータが搭載された車両が公知である。このような車両では、エンジンを停止させたまま電動モータのみを用いて走行することが可能である。アクセル開度が増大された場合など、大きい駆動力が要求された場合には、要求された駆動力を実現すべく、エンジンが始動される。
【０００３】
特開２００５−１６４４２号公報（特許文献１）は、［００１０］段落等において、エンジンの始動前に始動用モータが所定のトルクを出力できる駆動電圧までコンバータの出力電圧を予め昇圧した後に、エンジンを始動させることを開示する。特開２００５−１６４４２号公報に記載の技術によれば、［００４３］段落に記載のように、エンジン始動時間を短縮できる。
【先行技術文献】
【特許文献】
【０００４】
【特許文献１】特開２００５−１６４４２号公報
【発明の概要】
【発明が解決しようとする課題】
【０００５】
しかしながら、運転者が誤ってアクセルペダルを踏む場合もある。このような場合に運転者がアクセルペダルをすぐに戻してもエンジンが始動すると、運転者の意思を反映しているとは必ずしもいえない。
【０００６】
本発明は、上述の課題を解決するためになされたものであって、その目的は、運転者の誤った操作に基づくエンジンの始動を抑制することである。
【課題を解決するための手段】
【０００７】
ある実施例において、車両には、エンジンと電動モータとが駆動源として搭載される。この車両は、エンジンを停止させた状態で走行可能である。制御装置は、運転者の操作に基づく始動条件が満たされると、所定の遅延時間が経過した後にエンジンを始動し、始動条件が満たされてから遅延時間が経過する前に始動条件が満たされなくなると、エンジンを停止したまま維持する。運転者の操作に基づく始動条件が満たされても、遅延時間が経過するまではエンジンが始動されないので、運転者の誤操作に基づくエンジンの始動を抑制することができる。
【０００８】
別の実施例において、車速が高いほど遅延時間が長くされる。これにより、加速が頻繁に要求され得る低車速時には、遅延時間を設定したことに起因するエンジンの始動遅れを低減し、要求された駆動力を速やかに実現できる。
【０００９】
さらに別の実施例において、車両には、電動モータに電力を供給する蓄電装置が搭載される。蓄電装置の出力が低下すると、始動条件が満たされてから遅延時間が経過する前にエンジンが始動される。これにより、電動モータのみでは駆動力が不足し得る場合には、遅延時間の経過を待たずにエンジンを速やかに始動し、必要な駆動力を確保できる。
【００１０】
さらに別の実施例において、車両に搭載された機器に基づく条件が満たされると、遅延時間が経過する前にエンジンが始動される。これにより、運転者の誤操作によるものではないエンジンの始動要求に対しては、速やかに応答することができる。
【００１１】
さらに別の実施例において、車両には、電動モータに電力を供給する蓄電装置が搭載される。蓄電装置の残存容量がしきい値よりも小さいと、遅延時間が経過する前にエンジンが始動される。これにより、電動モータのみを用いた走行が困難となり得る場合には、遅延時間の経過を待たずにエンジンを速やかに始動し、必要な駆動力を確保できる。
【図面の簡単な説明】
【００１２】
【図１】車両の概略構成図である。
【図２】車両の電気システムを示す図である。
【図３】エンジンの状態等を示す図（その１）である。
【図４】エンジンの状態等を示す図（その２）である。
【図５】エンジンの状態等を示す図（その３）である。
【図６】エンジンの状態等を示す図（その４）である。
【図７】ＥＣＵが実行する処理を示すフローチャートである。
【発明を実施するための形態】
【００１３】
以下、図面を参照しつつ、本発明の実施の形態について説明する。以下の説明では、同一の部品には同一の符号を付してある。それらの名称および機能も同一である。したがって、それらについての詳細な説明は繰返さない。
【００１４】
図１を参照して、車両には、エンジン１００と、第１モータジェネレータ１１０と、第２モータジェネレータ１２０と、動力分割機構１３０と、減速機１４０と、バッテリ１５０とが搭載される。
【００１５】
エンジン１００、第１モータジェネレータ１１０、第２モータジェネレータ１２０、バッテリ１５０は、ＥＣＵ（Electronic  Control  Unit）１７０により制御される。ＥＣＵ１７０は複数のＥＣＵに分割するようにしてもよい。
【００１６】
この車両は、エンジン１００および第２モータジェネレータ１２０のうちの少なくともいずれか一方からの駆動力により走行する。すなわち、エンジン１００および第２モータジェネレータ１２０のうちのいずれか一方もしくは両方が、運転状態に応じて駆動源として自動的に選択される。
【００１７】
たとえば、運転者がアクセルペダル１７２を操作した結果に応じて、エンジン１００および第２モータジェネレータ１２０が制御される。アクセルペダル１７２の操作量（アクセル開度）は、アクセル開度センサ（図示せず）により検出される。
【００１８】
アクセル開度が小さい場合および車速が低い場合などには、第２モータジェネレータ１２０のみを駆動源として車両が走行する。この場合、エンジン１００が停止される。ただし、発電などのためにエンジン１００が駆動する場合がある。
【００１９】
また、アクセル開度が大きい場合、車速が高い場合、バッテリ１５０の残存容量（ＳＯＣ：State  Of  Charge）が小さい場合などには、エンジン１００が駆動される。この場合、エンジン１００のみ、もしくはエンジン１００および第２モータジェネレータ１２０の両方を駆動源として車両が走行する。
【００２０】
エンジン１００は、内燃機関である。燃料と空気の混合気が燃焼室内で燃焼することよって、出力軸であるクランクシャフトが回転する。エンジン１００から排出される排気ガスは、触媒１０２によって浄化された後、車外に排出される。触媒１０２は、特定の温度まで暖機されることによって浄化作用を発揮する。触媒１０２の暖機は、排気ガスの熱を利用して行なわれる。触媒１０２は、たとえば三元触媒である。
【００２１】
エンジン１００の冷却水は、車両に搭載された空調装置１０４を通って循環する。空調装置１０４は、エンジン１００の冷却水を用いて車室内の空気を加熱する。より具体的には、ヒータコアに導入された冷却水と空気とが熱交換され、暖められた空気が車室内に送られる。なお、空調装置１０４には周知の一般的な技術を利用すればよいため、ここではその詳細な説明は繰り返さない。エンジン１００の冷却水の温度は、温度センサ１０６により検出される。
【００２２】
エンジン１００、第１モータジェネレータ１１０および第２モータジェネレータ１２０は、動力分割機構１３０を介して接続されている。エンジン１００が発生する動力は、動力分割機構１３０により、２経路に分割される。一方は減速機１４０を介して前輪１６０を駆動する経路である。もう一方は、第１モータジェネレータ１１０を駆動させて発電する経路である。
【００２３】
第１モータジェネレータ１１０は、Ｕ相コイル、Ｖ相コイルおよびＷ相コイルを備える、三相交流回転電機である。第１モータジェネレータ１１０は、動力分割機構１３０により分割されたエンジン１００の動力により発電する。第１モータジェネレータ１１０により発電された電力は、車両の走行状態や、バッテリ１５０の残存容量の状態に応じて使い分けられる。たとえば、通常走行時では、第１モータジェネレータ１１０により発電された電力はそのまま第２モータジェネレータ１２０を駆動させる電力となる。一方、バッテリ１５０のＳＯＣが予め定められた値よりも低い場合、第１モータジェネレータ１１０により発電された電力は、後述するインバータにより交流から直流に変換される。その後、後述するコンバータにより電圧が調整されてバッテリ１５０に蓄えられる。
【００２４】
第１モータジェネレータ１１０が発電機として作用している場合、第１モータジェネレータ１１０は負のトルクを発生している。ここで、負のトルクとは、エンジン１００の負荷となるようなトルクをいう。第１モータジェネレータ１１０が電力の供給を受けてモータとして作用している場合、第１モータジェネレータ１１０は正のトルクを発生する。ここで、正のトルクとは、エンジン１００の負荷とならないようなトルク、すなわち、エンジン１００の回転をアシストするようなトルクをいう。なお、第２モータジェネレータ１２０についても同様である。
【００２５】
第２モータジェネレータ１２０は、Ｕ相コイル、Ｖ相コイルおよびＷ相コイルを備える、三相交流回転電機である。第２モータジェネレータ１２０は、バッテリ１５０に蓄えられた電力および第１モータジェネレータ１１０により発電された電力のうちの少なくともいずれかの電力により駆動する。
【００２６】
第２モータジェネレータ１２０の駆動力は、減速機１４０を介して前輪１６０に伝えられる。これにより、第２モータジェネレータ１２０はエンジン１００をアシストしたり、第２モータジェネレータ１２０からの駆動力により車両を走行させたりする。なお、前輪１６０の代わりにもしくは加えて後輪を駆動するようにしてもよい。
【００２７】
車両の回生制動時には、減速機１４０を介して前輪１６０により第２モータジェネレータ１２０が駆動され、第２モータジェネレータ１２０が発電機として作動する。これにより第２モータジェネレータ１２０は、制動エネルギを電力に変換する回生ブレーキとして作動する。第２モータジェネレータ１２０により発電された電力は、バッテリ１５０に蓄えられる。
【００２８】
動力分割機構１３０は、サンギヤと、ピニオンギヤと、キャリアと、リングギヤとを含む遊星歯車から構成される。ピニオンギヤは、サンギヤおよびリングギヤと係合する。キャリアは、ピニオンギヤが自転可能であるように支持する。サンギヤは第１モータジェネレータ１１０の回転軸に連結される。キャリアはエンジン１００のクランクシャフトに連結される。リングギヤは第２モータジェネレータ１２０の回転軸および減速機１４０に連結される。
【００２９】
エンジン１００、第１モータジェネレータ１１０および第２モータジェネレータ１２０が、遊星歯車からなる動力分割機構１３０を介して連結されることで、エンジン１００、第１モータジェネレータ１１０および第２モータジェネレータ１２０の回転数は、共線図において直線で結ばれる関係になる。
【００３０】
バッテリ１５０は、複数のバッテリセルを一体化したバッテリモジュールを、さらに複数直列に接続して構成された組電池である。バッテリ１５０の電圧は、たとえば２００Ｖ程度である。バッテリ１５０には、第１モータジェネレータ１１０および第２モータジェネレータ１２０の他、車両の外部の電源から供給される電力が充電される。なお、バッテリ１５０の代わりにもしくは加えてキャパシタを用いるようにしてもよい。バッテリ１５０の温度は、温度センサ１５２により検出される。
【００３１】
図２を参照して、車両には、コンバータ２００と、第１インバータ２１０と、第２インバータ２２０と、システムメインリレー２３０とが設けられる。
【００３２】
コンバータ２００は、リアクトルと、二つのｎｐｎ型トランジスタと、二つダイオードとを含む。リアクトルは、各バッテリの正極側に一端が接続され、２つのｎｐｎ型トランジスタの接続点に他端が接続される。
【００３３】
２つのｎｐｎ型トランジスタは、直列に接続される。ｎｐｎ型トランジスタは、ＥＣＵ１７０により制御される。各ｎｐｎ型トランジスタのコレクタ−エミッタ間には、エミッタ側からコレクタ側へ電流を流すようにダイオードがそれぞれ接続される。
【００３４】
なお、ｎｐｎ型トランジスタとして、たとえば、ＩＧＢＴ（Insulated  Gate  Bipolar  Transistor）を用いることができる。ｎｐｎ型トランジスタに代えて、パワーＭＯＳＦＥＴ（Metal  Oxide  Semiconductor  Field-Effect  Transistor）等の電力スイッチング素子を用いることができる。
【００３５】
バッテリ１５０から放電された電力を第１モータジェネレータ１１０もしくは第２モータジェネレータ１２０に供給する際、電圧がコンバータ２００により昇圧される。逆に、第１モータジェネレータ１１０もしくは第２モータジェネレータ１２０により発電された電力をバッテリ１５０に充電する際、電圧がコンバータ２００により降圧される。
【００３６】
コンバータ２００と、各インバータとの間のシステム電圧ＶＨは、電圧センサ１８０により検出される。電圧センサ１８０の検出結果は、ＥＣＵ１７０に送信される。
【００３７】
第１インバータ２１０は、Ｕ相アーム、Ｖ相アームおよびＷ相アームを含む。Ｕ相アーム、Ｖ相アームおよびＷ相アームは並列に接続される。Ｕ相アーム、Ｖ相アームおよびＷ相アームは、それぞれ、直列に接続された２つのｎｐｎ型トランジスタを有する。各ｎｐｎ型トランジスタのコレクタ−エミッタ間には、エミッタ側からコレクタ側へ電流を流すダイオードがそれぞれ接続される。そして、各アームにおける各ｎｐｎ型トランジスタの接続点は、第１モータジェネレータ１１０の各コイルの中性点１１２とは異なる端部にそれぞれ接続される。
【００３８】
第１インバータ２１０は、バッテリ１５０から供給される直流電流を交流電流に変換し、第１モータジェネレータ１１０に供給する。また、第１インバータ２１０は、第１モータジェネレータ１１０により発電された交流電流を直流電流に変換する。
【００３９】
第２インバータ２２０は、Ｕ相アーム、Ｖ相アームおよびＷ相アームを含む。Ｕ相アーム、Ｖ相アームおよびＷ相アームは並列に接続される。Ｕ相アーム、Ｖ相アームおよびＷ相アームは、それぞれ、直列に接続された２つのｎｐｎ型トランジスタを有する。各ｎｐｎ型トランジスタのコレクタ−エミッタ間には、エミッタ側からコレクタ側へ電流を流すダイオードがそれぞれ接続される。そして、各アームにおける各ｎｐｎ型トランジスタの接続点は、第２モータジェネレータ１２０の各コイルの中性点１２２とは異なる端部にそれぞれ接続される。
【００４０】
第２インバータ２２０は、バッテリ１５０から供給される直流電流を交流電流に変換し、第２モータジェネレータ１２０に供給する。また、第２インバータ２２０は、第２モータジェネレータ１２０により発電された交流電流を直流電流に変換する。
【００４１】
コンバータ２００、第１インバータ２１０および第２インバータ２２０は、ＥＣＵ１７０により制御される。
【００４２】
システムメインリレー２３０は、バッテリ１５０とコンバータ２００との間に設けられる。システムメインリレー２３０は、バッテリ１５０と電気システムとを接続した状態および遮断した状態を切換えるリレーである。システムメインリレー２３０が開いた状態であると、バッテリ１５０が電気システムから遮断される。システムメインリレー２３０が閉じた状態であると、バッテリ１５０が電気システムに接続される。
【００４３】
システムメインリレー２３０の状態は、ＥＣＵ１７０により制御される。たとえば、ＥＣＵ１７０が起動すると、システムメインリレー２３０が閉じられる。ＥＣＵ１７０が停止する際、システムメインリレー２３０が開かれる。
【００４４】
図３を参照して、エンジン１００の制御態様についてさらに説明する。図３に示す車両の出力パワーがエンジン始動しきい値より小さいと、第２モータジェネレータ１２０の駆動力のみを用いて車両が走行する。この場合、原則として、エンジン１００への燃料供給が停止され、エンジン１００が停止される。
【００４５】
出力パワーは、車両の走行に用いられるパワーとして設定される。出力パワーは、たとえば、アクセル開度および車速などをパラメータに有するマップに従ってＥＣＵ１７０により算出される。なお、出力パワーを算出する方法はこれに限らない。出力パワーの代わりに、トルク、加速度、駆動力およびアクセル開度などを用いるようにしてもよい。たとえば、アクセル開度が、車速毎に定められたしきい値より小さいとエンジン１００を停止するようにしてもよい。
【００４６】
一方、運転者の操作に基づく始動条件の一例として、車両の出力パワーがエンジン始動しきい値以上であるという条件が満たされると、エンジン１００が駆動される。たとえば、第１モータジェネレータ１１０によってエンジン１００をクランキングすることによって、エンジン１００が始動される。これにより、第２モータジェネレータ１２０の駆動力に加えて、もしくは代わりに、エンジン１００の駆動力を用いて車両が走行する。また、エンジン１００の駆動力を用いて第１モータジェネレータ１１０が発電した電力が第２モータジェネレータ１２０に直接供給される。
【００４７】
本実施の形態においては、車両の出力パワーがエンジン始動しきい値以上であるという条件、すなわち運転者の操作に基づく始動条件が満たされると、図３に示すように、所定の遅延時間が経過した後にエンジン１００が始動される。図４に示すように、始動条件が満たされてから遅延時間が経過する前に始動条件が満たされなくなると、エンジン１００が停止したまま維持される。遅延時間は、車速に応じて異なる。一例として、車速が高いほど遅延時間が長くされる。遅延時間は、実験およびシミュレーション等の結果に基づいて開発者により予め定められる。
【００４８】
一方、遅延処理のキャンセル条件が満たされた場合には、始動条件が満たされてから遅延時間が経過する前にエンジン１００が始動される。一例として、バッテリ１５０の出力が低下すると、始動条件が満たされてから遅延時間が経過する前にエンジン１００が始動される。より具体的には、バッテリ１５０の温度および残存容量等からバッテリ１５０の出力（放電電力）の上限値ＷＯＵＴをＥＣＵ１７０が算出し、この上限値ＷＯＵＴが所定のしきい値よりも小さい場合には、運転者の操作に基づく始動条件が満たされると、図５に示すように、遅延処理が実行されずにエンジン１００が始動される。
【００４９】
なお、キャンセル条件はバッテリ１５０の出力が低下するという条件に限定されず、適宜設定してもよい。また、バッテリ１５０の劣化を抑制するための出力制限については、キャンセル条件から除外してもよい。
【００５０】
図６を参照して、本実施の形態においては、運転者の操作に基づく始動条件の他、車両に搭載された機器に基づく条件が満たされると、エンジン１００が始動される。一例として、バッテリ１５０の残存容量が所定のしきい値よりも小さいと、エンジン１００が始動される。その他、空調装置１０４の暖房機能がオンにされたときに、エンジン１００の冷却水の温度が所定のしきい値よりも低いと、エンジン１００が始動される。図６に示すように、車両に搭載された機器に基づく条件が満たされると、上述した遅延時間が経過する前にエンジン１００が始動される。すなわち、車両に搭載された機器に基づく条件が満たされると、遅延処理が実行されずにエンジン１００が始動される。
【００５１】
図７を参照して、本実施の形態においてＥＣＵ１７０が実行する処理について説明する。ソフトウェアにより実現してもよく、ハードウェアにより実現してもよく、ソフトウェアとハードウェアとの協働により実現してもよい。
【００５２】
ステップ（以下ステップをＳと略す）１００にて、運転者の操作に基づく始動条件が満たされたか否かが判断される。運転者の操作に基づく始動条件が満たされると（Ｓ１００にてＹＥＳ）、Ｓ１０２にて、遅延時間が経過したか、もしくは遅延処理のキャンセル条件が満たされたか否かが判断される。
【００５３】
遅延時間が経過した場合、あるいはキャンセル条件が成立した場合（Ｓ１０２にてＹＥＳ）、Ｓ１０４にて、エンジン１００が始動される。その後、Ｓ１０６にて、駆動力の急変を抑制するために、車両全体としての駆動力の増加率、エンジン１００の出力パワーの増加率、エンジン１００の出力軸回転数の増大率などが制限される。
【００５４】
一方、バッテリ１５０および空調装置１０４などの、車両に搭載された機器に基づく条件が満たされると（Ｓ１０８にてＹＥＳ）、遅延処理は実行されずにＳ１１０にてエンジン１００が始動される。
【００５５】
今回開示された実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５６】
１００  エンジン、１０２  触媒、１０４  空調装置、１０６  温度センサ、１１０  第１モータジェネレータ、１２０  第２モータジェネレータ、１３０  動力分割機構、１４０  減速機、１５０  バッテリ、１５２  温度センサ、１６０  前輪、１７０  ＥＣＵ、１７２  アクセルペダル、１８０  電圧センサ、２００  コンバータ、２１０  第１インバータ、２２０  第２インバータ、２３０  システムメインリレー。
【図１】
2014184910.tif 000003
【図２】
2014184910.tif 000004
【図３】
2014184910.tif 000005
【図４】
2014184910.tif 000006
【図５】
2014184910.tif 000007
【図６】
2014184910.tif 000008
【図７】
2014184910.tif 000009